(57)【要約】【課題】いかなる撮影シーンにおいても、フラッシュ発光時の露光量を増やし、適度に被写体を白くしてやることで、例えば、肌が美しく写るようにする特定撮影モードを有するカメラを提供する。【解決手段】本カメラは、強制発光モードの中の特定撮影モードとして適度に明るくした人物撮影を行う美肌撮影モードを有しており、通常の強制発光モードでは、絞りが被写体までの距離とフラッシュのＧnoにより求まる絞り値ＦnoになるタイミングｔA で発光するように制御される。一方、美肌撮影モードでは、通常モードよりも被写体から反射された光をより多くフィルムに入射させるよう絞り値が小さい値、すなわち、開口面積がより広くなるタイミングｔb でフラッシュを発光させ、適度に明るい撮影が行われる。【選択図】図１
2005173386.tif 000002
【特許請求の範囲】
【請求項１】
被写体に向けて光束を投光する投光手段と、
シャッタの絞り値を制御する絞り制御手段と、
上記絞り値の補正量を算出する補正値算出手段と、
を備えており、上記被写体の人物の顔を主な撮影対象とし、常に投光がなされるような特定の撮影モードが選択されたときには、上記絞り制御手段は、上記算出された補正値に基づいて絞り値を変化させることを特徴とするカメラ。
【請求項２】
上記絞り制御手段は、上記特定の撮影モード選択時には通常の撮影モードのときよりも上記補正値に応じて絞り値を減少させるよう制御することを特徴とする請求項１記載のカメラ。
【請求項３】
さらに、上記被写体の明るさを測光する測光手段を備えており、上記補正値算出手段は、上記補正値を上記測光手段による測光結果に応じて算出することを特徴とする請求項２記載のカメラ。
【請求項４】
上記補正値算出手段は、上記測光手段による周辺の測光結果と中央の測光結果との差を上記測光結果として上記補正値を算出することを特徴とする請求項３記載のカメラ。
【請求項５】
上記補正値算出手段は、被写体が明るい場合には、上記補正値として小さな値を算出することを特徴とする請求項３記載のカメラ。
【請求項６】
さらに、被写体までの距離を測定する測距手段と、
上記被写体までの距離と撮影レンズの焦点距離から撮影倍率を算出する倍率算出手段と、
を備えており、上記補正値算出手段は、上記補正値を上記撮影倍率に応じて算出することを特徴とする請求項１記載のカメラ。
【請求項７】
さらに、被写体の明るさを測光する測光手段と、
被写体までの距離を測定する測距手段と、
上記被写体まての距離と撮影レンズの焦点距離から撮影倍率を算出する倍率算出手段と、
を備えており、上記補正値算出手段は、上記補正値を上記測光手段による測光結果および上記撮影倍率に応じて算出することを特徴とする請求項１記載のカメラ。
【請求項８】
上記補正値算出手段は、上記撮影倍率が大きい場合には、上記補正値として小さな値を算出することを特徴とする請求項６または７記載のカメラ。
【請求項９】
さらに、被写体の明るさを測光する測光手段と、
被写体までの距離を測定する測距手段と、
を備えており、上記補正値算出手段は、上記補正値を上記測光手段による測光結果および上記測距手段による測距結果に応じて算出することを特徴とする請求項１記載のカメラ。
【請求項１０】
さらに、被写体の明るさを測光する測光手段を備えており、上記補正値算出手段は、上記補正値を上記測光手段による測光結果および撮影レンズの焦点距離に応じて算出することを特徴とする請求項１記載のカメラ。
【発明の詳細な説明】
【技術分野】
【０００１】
本発明は、閃光装置（フラッシュ）を内蔵したカメラに関するものてある。
【背景技術】
【０００２】
従来の閃光（フラッシュ）装置を内蔵したカメラにより閃光発光による撮影を行う場合、被写体輝度，シャッタの絞り値，被写体距離，フィルム感度等により算出される適正なガイドナンバＧnoに基づいて閃光発光装置を制御して撮影が行われる。
【０００３】
図１１は、上記従来の閃光装置を内蔵したカメラによる閃光発光撮影の状態を示す図である。図１１に示すカメラ４０においては、該カメラに内蔵される測光装置４２の出力より算出されたBV値と、シャッタ４３のＦnoから算出されたＡＶ値と、被写体４４とカメラ４０との距離Ｌから算出されたＤＶ値と、フィルムのＩＳＯ感度より算出されたＳＶ値とにより、次式でＧＶ値、および、Ｇnoが求められる。上記Ｇnoにより閃光装置４１を制御し、適正な発光量を被写体４４に向け発光し、撮影が行われる。
【０００４】
なお、上記ＧＶ値は、
ＧＶ＝ＡＶ＋ＤＶ−ＳＶ＋ＳＶ100
により演算され、上記Ｇnoは、
Ｇno2 ＝２GV
より演算される。但し、ＳＶ100 は、フィルムＩＳＯ１００のＳＶ値を表す。
【発明の開示】
【発明が解決しようとする課題】
【０００５】
最近の女性の人物撮影像の好みを調査したところ、必ずしも適正露出がよい写真とされる訳ではなく、多少、閃光装置の発光量を多めにして、顔が白くなる写真の方がよいという女性の方が多いということが判明している。そこで、カメラに閃光装置の発光量を多くするモード(以下、美肌撮影モードとする)を撮影モードの検討を行った。
【０００６】
しかしながら、上記検討の中で、美肌撮影モードにして単に一定量閃光装置の発光量を増やしたのでは、撮影シーンによっては顔が白くなりすぎる場合があることが解った。さらに、カメラによってフラッシュ発光量が制御できる閃光装置を備えていればよいが、低価格のカメラの場合、そのような閃光装置を搭載することがコスト的に困難である。
【０００７】
本発明は、このような課題を解決するためになされ、いかなる撮影シーンにおいても、フラッシュ発光時の露光量を増やし、適度に被写体を白くしてやることで、例えば、肌が美しく写るようにする特定撮影モードを有するカメラを提供することを目的とする。
【課題を解決するための手段】
【０００８】
本発明の請求項１記載のカメラは、被写体に向けて光束を投光する投光手段と、シャッタの絞り値を制御する絞り制御手段と、上記絞り値の補正量を算出する補正値算出手段とを備えており、上記被写体の人物の顔を主な撮影対象とし、常に投光がなされるような特定の撮影モードが選択されたときには、上記絞り制御手段は、上記算出された補正値に基づいて絞り値を変化させる。
【０００９】
本発明の請求項２記載のカメラは、請求項１記載のカメラにおいて、上記絞り制御手段は、上記特定の撮影モード選択時には通常の撮影モードのときよりも上記補正値に応じて絞り値を減少させるよう制御する。
【００１０】
本発明の請求項３記載のカメラは、請求項２記載のカメラにおいて、さらに、上記被写体の明るさを測光する測光手段を備え、上記補正値算出手段は、上記補正値を上記測光手段による測光結果に応じて算出する。
【００１１】
本発明の請求項４記載のカメラは、請求項３記載のカメラにおいて、上記補正値算出手段は、上記測光手段による周辺の測光結果と中央の測光結果の差を上記測光結果として上記補正値を算出する。
【００１２】
本発明の請求項５記載のカメラは、請求項３記載のカメラにおいて、上記補正値算出手段は、被写体が明るい場合には、上記補正値として小さな値を算出する。
【００１３】
本発明の請求項６記載のカメラは、請求項１記載のカメラにおいて、さらに、被写体までの距離を測定する測距手段と、上記被写体までの距離と撮影レンズの焦点距離から撮影倍率を算出する倍率算出手段とを備えており、上記補正値算出手段は、上記補正値を上記撮影倍率に応じて算出する。
【００１４】
本発明の請求項７記載のカメラは、請求項１記載のカメラにおいて、さらに、被写体の明るさを測光する測光手段と、被写体までの距離を測定する測距手段と、上記被写体までの距離と撮影レンズの焦点距離から撮影倍率を算出する倍率算出手段とを備えており、上記補正値算出手段は、上記補正値を上記測光手段による測光結果および上記撮影倍率に応じて算出する。
【００１５】
本発明の請求項８記載のカメラは、請求項６または７記載のカメラにおいて、上記補正値算出手段は、上記撮影倍率が大きい場合には、上記補正値として小さな値を算出する。
【００１６】
本発明の請求項９記載のカメラは、請求項１記載のカメラにおいて、さらに、被写体の明るさを測光する測光手段と、被写体までの距離を測定する測距手段とを備えており、上記補正値算出手段は、上記補正値を上記測光手段による測光結果および上記測距手段による測距結果に応じて算出する。
【００１７】
本発明の請求項１０記載のカメラは、請求項１記載のカメラにおいて、さらに、被写体の明るさを測光する測光手段を備え、上記補正値算出手段は、上記補正値を上記測光手段による測光結果および撮影レンズの焦点距離に応じて算出する。
【発明の効果】
【００１８】
本発明によれば、フラッシュ発光時の絞り値を制御して、被写体で反射され、フィルムに入射するフラッシュ光量を増やし、適度に顔を白くしてやることで、いかなる撮影シーンにおいても肌が美しく写るようにする特定撮影モードを有するカメラを提供することができる。
【発明を実施するための最良の形態】
【００１９】
以下、図を用いて本発明の実施形態について説明するが、該実施形態の詳細な説明に先だって本発明の技術によるカメラの概要について、図１を用いて説明する。
【００２０】
本発明の技術によるカメラは、被写体に向けて光束を投光する投光手段と、シャッタの絞り値を制御する絞り制御手段と、上記絞り値の補正量を算出する補正値算出手段とを備えており、人物の顔を主な撮影対象とし、常に投光がなされるような特定の撮影モード、すなわち、特定の強制発光モードが選択されたときには、上記絞り制御手段は、上記算出された補正値に基づいて絞り値を変化（減少）させるように制御し、撮影が実行される。
【００２１】
図１は、本発明の技術によるカメラのシャッタの開口面積とフラッシュ（投光手段）の発光タイミングを示す図である。通常強制発光モードでの撮影の際は、フィルムのＩＳＯ感度が一定であれば、フラッシュの発光タイミングとしては、絞りが次式の被写体までの距離とフラッシュのＧnoとにより求まる絞り値Ｆnoになる図１のタイミングｔA で発光するように絞り制御手段により制御される。 
絞り値Ｆno =Ｇno／被写体までの距離
なお、絞り開口面積ＳA が絞り値Ｆnoの二乗の逆数に比例する。
【００２２】
一方、上記カメラにおいて特定の強制発光モードが選択された場合には、絞り制御手段は、上記通常モードよりも被写体から反射された光をより多くフィルムに入射させるように制御するため、上記絞り値より適度に小さい絞り値（より大きいシャッタの開口面積Ｓb ）になるタイミングｔb でフラッシュを発光させる。このように特定強制発光モードでは、通常のフラッシュ光量よりも多い光量で露光させ、より明るい撮影が行われる。特定強制発光モードとして、具体的には、美肌撮影モードがある。この撮影モードは、女性の肌をより美しく撮影するためのフラッシュ撮影モードである。
【００２３】
次に、本発明の第一の実施形態のカメラについて説明する。 
図２は、上記第一の実施形態のカメラの電気制御回路のブロック構成図である。
【００２４】
本実施形態のカメラ５０は、コンパクトカメラによく用いられる、シャッタが絞りの機能も兼ねるレンズシャッタ方式のシャッタを搭載したカメラである。
【００２５】
本実施形態のカメラ５０の電気制御回路は、全体の制御を司るマイクロコンピュータであるＣＰＵ１と、このＣＰＵ１にはEEPROM２、EXT端子３、PWSW４、BKSW５、RWSW６、1RSW７、2RSW８、ZUSW９、ZDSW１０、MODSW１１、LCD１２、フラッシュ回路１３、測距回路１６、測光回路２０、ズーミング駆動回路２３、ズーミング駆動信号検出回路２５、フォーカシング駆動回路２６、フォーカシング駆動信号検出回路２８、シャッタ駆動回路２９、シャッタ駆動信号検出回路３１、フィルム給送駆動回路３２、フィルム移動量検出回路３４、フィルム情報検出回路３５が接続されている。
【００２６】
上記EEPROM２は、カメラを制御する上で必要なパラメータやカメラ状態を記憶するための不揮発性メモリである。
【００２７】
上記EXT端子３は、カメラ動作や性能保証のために、製造時に行われる各種調整を実行する際、あるいは、撮影の際にカメラを外部から制御するための外部通信端子である。
【００２８】
上記PWSW４は、カメラの電源オン、オフを行うためのスイッチであって、PWSW４のオン状態でカメラが電源オン状態となり、オフ状態が電源オフ状態となる。
【００２９】
上記BKSW５は、フィルムの装填、取り出しを行うための図示しない後蓋の開、閉状態を検出するためのスイッチであって、オン状態が後蓋開状態を示し、オフ状態が後蓋閉状態を示す。
【００３０】
上記RWSW６は、通常オフ状態であって、オン操作されることで強制巻き戻しを実行するためのスイッチである。
【００３１】
上記1RSW７，2RSW８は、２段作動のレリーズスイッチを構成し、1RSW７がオン操作された後、2RSW８がオン操作されるようになっている。1RSW７は、通常オフ状態であって、オン操作されることで、露出準備動作である測距及び測光を開始させるためのスイッチである。2RSW８は、通常オフ状態であって、オン操作されることで、露出動作を開始させるためのスイッチである。
【００３２】
上記ZUSW９は、通常オフ状態であって、オン操作されることで、望遠側へ焦点距離を変化させるようにズーミング駆動を開始させるためのスイッチである。
【００３３】
上記ZDSW１０は、通常オフ状態であって、オン操作されることで、広角側へ焦点距離を変化させるようにズーミング駆動を開始させるためのスイッチである。
【００３４】
上記MODSW１１は、通常オフ状態であって、オン操作されることで、撮影モードを切り替えるスイッチであって、例えば、通常のオート撮影や通常強制発光モードや美肌撮影モードに撮影モードを切り替えることができる。
【００３５】
上記LCD１２は、カメラのモード表示、駒数表示などを行う外部表示手段である。
【００３６】
上記フラッシュ回路１３は、投光手段であって、このフラッシュ回路１３には、露出を適正に保つため、被写体を照明するための光源であるＸｅ管１４と、照明のための電気的エネルギーを蓄積するメインコンデンサ１５が接続されている。なお、本カメラ５０は、低価格のカメラであり、フラッシュ回路１３は、フラッシュ発光量制御を行わないものとする。
【００３７】
上記ＡＦセンサ１６は、測距手段であって、カメラ５０から被写体１９までの被写体距離Ｌに関する信号を出力する。基線長(視差)Ｂだけ隔てて配置された一対の上記受光レンズ１７ａ，１７ｂを介して得られた上記被写体１９の像を、焦点距離ｆの位置に配置された上記一対のセンサアレイ１８ａ，１８ｂ上に結像させて、この視差に基づく像位置差Ｘから、既知の三角測距の原理に従って上記ＣＰＵ１により該被写体距離Ｌの検出が行われる。なお、上記像位置は、上記被写体距離Ｌの大小によって上記一対のセンサアレイ１８ａ，１８ｂの光軸を基準としてその相対位置が変化する。
【００３８】
上記測光回路２０は、測光手段であって、受光素子２１ａ，２１ｂが接続されており、測光レンズ２２を介して入射する被写体付近の光量を測定し、露出条件を決定するための被写体輝度を測定する。なお、受光素子２１ａは撮影画面周辺部を測光し、受光素子２１ｂは撮影画面中央部を測光する。
【００３９】
上記ズーミング駆動回路２３は、上記ＣＰＵ１からの制御によってズームモータ２４を駆動するもので、そのモータ駆動力は、図示しないギヤ列を介して、図示しない撮影レンズの変倍光学系（フォーカシングレンズ）に伝達され、ズーミングが行われる。
【００４０】
上記ズーミング駆動信号検出回路２５は、上記ズームモータ２４の回転量に対応したパルス信号を生成し、上記ＣＰＵ１へ該パルス信号を伝達する。上記ＣＰＵ１は、このパルス信号をカウントすることで、焦点距離に対応したデータを生成する。
【００４１】
上記フォーカシング駆動回路２６は、ＣＰＵ１からの制御によって、フォーカシングモータ２７を駆動するもので、そのモータ駆動力は、図示しないギヤ列を介して、図示しない撮影レンズの合焦光学系に伝達され、フォーカシングが行われる。
【００４２】
上記フォーカシング駆動信号検出回路２８は、上記フォーカシングモータ２７の回転量に対応したパルス信号を生成し、上記ＣＰＵ１へ該パルス信号を伝達する。上記ＣＰＵ１は、このパルス信号の数と周期を検出することでフォーカシングレンズを合焦位置に正確に停止させるための制御を行う。
【００４３】
上記シャッタ駆動回路２９は、上記ＣＰＵ１からの制御によって、図示しないシャッタを駆動するためのプランジャ３０への通電制御を行う。該プランジャ３０への通電時間を上記ＣＰＵ１が制御することにより、露光量の制御が行われる。
【００４４】
上記シャッタ駆動信号検出回路３１は、上記プランジャ３０への通電時間を制御するための基準タイミングをシャッタ動作に連動して生成している。
【００４５】
上記フィルム給送駆動回路３２は、上記ＣＰＵ１からの制御によってフィルム給送モータ３３を駆動するもので、フィルムの巻き上げ、巻き戻しを行う。
【００４６】
上記フィルム移動量検出回路３４は、図示しないフィルムに形成されたパーフォレーションを検出することによりフィルムの給送状態を検知し、ＣＰＵ１に出力する。
【００４７】
上記フィルム情報検出回路３５は、フィルムカートリッジ３６に設けられたＩＳＯ感度情報を読み取り、ＣＰＵ１に出力する。
【００４８】
上記ＣＰＵ１には、カメラ全体の制御を行う制御部であるが、さらに、上記シャッタの絞り値を制御する絞り制御手段、さらに、上記絞り値の補正量を算出する補正値算出手段や倍率算出手段等を有しており、後述するように被写体の人物の顔を主な撮影対象とし、常に投光がなされるような特定の撮影モード（後述する美肌撮影モード）が選択された場合には、上記補正値算出手段によって焦点距離検出手段による焦点距離情報および／または測光手段による被写体距離情報および／または測光手段による測光情報およびフィルム感度情報に応じて絞り値補正値が算出され、上記算出された補正値に基づいて絞り値を変化（減少）させるように制御する。
【００４９】
次に、本実施形態のカメラ５０における撮影シーケンス処理について、図３〜８を用いて説明する。 
図３，４は、本実施形態のカメラ５０における撮影シーケンスのメインルーチンであるPWRST処理のフローチャートである。図５は、図４のメインルーチンで呼び出されるサブルーチンのレリーズ処理のフローチャートである。図６は、図５のレリーズ処理で呼び出されるサブルーチンの露出量演算処理のフローチャートである。図７は、図６の露出量演算処理で呼び出されるサブルーチンのＡＶＦ補正処理のフローチャートである。図８は、撮影時の所定の周辺輝度とＡＶＦ補正量との関係を示す線図である。
【００５０】
PWSW４のオンにより電源が投入されると、図３，４に示す撮影シーケンスのメインルーチンであるPWRSTの各ステップの処理がＣＰＵ１の制御のもとで開始される。
【００５１】
まず、図３に示すステップＳ１において初期設定が行われる。ここでは、前述したＣＰＵ１の初期化や各入出力ポート、ＲＡＭなどの初期化が行われる。ステップＳ２では、EXT端子３によって外部通信が行われる。次にステップ３ではEEPROM２に格納されているデータの読み出しが行われ、前述したＣＰＵ１内部のRAMに格納する。
【００５２】
次に、ステップＳ４では、前述したBKSW５の状態が変化したかどうかの判断を行い、変化している場合は、ステップＳ５へ進む。変化していなかった場合は、ステップＳ９に進む。
【００５３】
ステップＳ５では現在のBKSW５の状態がオフ状態であるかどうかをの判断を行う。オフ状態ではない場合は、ステップＳ６へ進む。この場合、BKSW５の状態が変化していて、さらに、現在の状態がオンであるので、BKSW５はオフからオンに変化したことになる。つまり、後蓋が閉の状態から開の状態になったことを示す。よって、ステップＳ６では、“１”であるときに後蓋が閉状態であるときことを示すフラグF BKCLOSに“０”をセットし、開状態であることを記憶し、ステップＳ９へ進む。
【００５４】
ステップＳ５の判断でBKSW５の状態がオフ状態であった場合は、ステップＳ７へ進み、前述したフラグF BKCLOSに“１”をセットし、後蓋が閉状態であることを記憶する。ステップＳ８では、後蓋が開状態から閉状態へと変化したときであるので、フィルムがセットされた可能性があるため、オートロード処理を行い、ステップＳ９へ進む。
【００５５】
ステップＳ９では、“１”であるときに１駒巻き上げが必要であることを示すフラグF WNDREQの状態を判断する。F WNDREQの状態が“１”である場合は、ステップＳ１０へ進み、１駒巻き上げ動作を行い、ステップＳ１１へ進む。フラグF WNDREQの状態が“０”の場合は、そのままステップＳ１３へ進む。
【００５６】
ステップＳ１１では、ステップＳ１０での１駒巻き上げ中にフィルムエンドが検出されたかどうかの判断を行う。フィルムエンドが検出されていない場合は、ステップＳ１３へ進み、フィルムエントが検出された場合は、ステップＳ１２へ進む。ステップＳ１２では、フィルムエンドが検出された場合であるので、巻き戻し動作が必要となり、巻き戻しが必要であることを示すフラグF RWREQに“１”をセットし、ステップＳ１３へ進む。
【００５７】
ステップＳ１３では、前述したフラグF RWREQの状態を判断ナる。F RWREQが“１”の場合は巻き戻しが必要な場合であるので、ステップＳ１４へ進み、巻き戻し処理を行いステップＳ１５へ進む。ステクプＳ１３の判断でF RWREQが“０”の場合は、巻き戻しが不要の場合であるので、そのままステップＳ１５へ進む。
【００５８】
ステップＳ１５では、PWSW４の状態を判断する。PWSW４の状態がオフの場合は、パワーオフ状態であるので、ステップＳ１７へ進み、鏡枠を収納状態に移動する沈胴処理を行い、続いて、ステップＳ１８でLCD１２をオフ状態にする表示オフ処理を行って、ＣＰＵ１の動作を停止させるストップ状態に移行する。このストップ状態から復帰させるためには、PWSW４、BKSW５、RWSW６の操作により、本ルーチンのPWRST処理の先頭であるステップＳ１からＣＰＵ１の制御動作を再開させる。
【００５９】
ステップＳ１５の判断でPWSW４がオン状態の場合は、パワーオン状態を示すので図４のステップＳ１９へ進み、鏡枠を撮影状態であるワイト位置に移動させるセットアップ処理を行う。続いて、ステップＳ２０でPWSW４，BKSW５，RWSW６，1RSW７，2RSW８，ZUSW９，ZDSW１０の各スイッチの状態変化、及び、現在の状態の検出を行う。
【００６０】
次に、ステップＳ２１ではLCD１２を動作させ、必要な表示を行う表示オン処理が実行される。
【００６１】
さらに、ステップＳ２２ではPWSW４の状態が変化したかどうかを判断し、変化した場合は、本ルーチンのPWRST処理の先頭であるステップＳ１ヘジャンプする。ステップＳ２２の判断にてPWSW４の状態が変化していなかった場合は、ステップＳ２３へ進み、さらにBKSW５の状態が変化したかどうかの判断を行う。BKSW５の状態が変化していた場合は、本ルーチンのPWRST処理の先頭であるステップＳ１ヘシャンプする。ステップＳ２３の判断にて、BKSW５の状態が変化していなかった場合は、ステップＳ２４へ進み、さらにRWSW６の状態が変化したかどうかの判断を行う。RWSW６の状態が変化していなかった場合は、巻き戻し処理を必要としないので、ステップＳ２９へ進む。RWSW６の状態が変化していた場合はステップＳ２６へ進む。
【００６２】
ステップＳ２６において、RWSW６の状態が現在オン状態であるかどうかの判断を行う。RWSW６の状態がオフ状態の場合は、ステップＳ２９へ進む。RWSW６の状態がオン状態の場合は、ステップＳ２７へ進む。
【００６３】
ステップＳ２７では、現在の後蓋の状態を示すフラグF BKCLOSの状態を判断する。フラグF BKCLOSが“１”の場合は、ステップＳ２８へ進む。F BKCLOSが“１”であるときは、後蓋状態が閉状態であることを示すので、ここでは、後蓋が閉状態であるときに、RWSW６がオフ状態からオン状態に変化したときである。すなわち、巻き戻し処理が必要な場合であるので、巻き戻し処理が必要であることを示すフラグF RWREQに“１”をセットし、図３のステップＳ９へ戻る。そして、前述した通り、ステップＳ１３の判断でステップＳ１４への分岐が行われ、巻き戻し処理が実行される。ステップＳ２７の判断にて、F BKCLOSが“０”であった場合は、後蓋状態が開状態であるのでそのまま図３のステップＳ９へ戻る。
【００６４】
ステップＳ２９では、前述したフラッシュ回路１３を動作させ、メインコンデンサ１５にフラッシュ発光用のエネルギの充電を行う。次のステップＳ３０での外部通信処理は、ステップＳ２と同様の処理が行われる。さらに、ステップＳ３１では、サブルーチンのモード変更処理が呼び出され、実行される。ここで設定されるモードは、例えば、通常の撮影モードか、あるいは、通常の強制発光モードか、さらに、特定の強制発光モードである美肌撮影モード等がある。
【００６５】
続いて、ステップＳ３２では、レリーズ要求の有無がチェックされる。すなわち、1RSW７がオフ状態からオン状態に変化したかどうかを判断する。オフ状態からオン状態に変化した場合、すなわち、レリーズ要求ありの場合は、ステップＳ４０に進み、露出準備動作、及び、露出動作を行うサブルーチンのレリーズ処理が呼び出される。1RSW７がオン状態に変化しなかった場合、すなわち、レリーズ要求なしの場合、ステップＳ３３に進む。上記レリーズ処理については、図５により後で説明する。このレリーズ処理中に露出動作が行われた場合は、レリーズ処理中に巻き上げ動作が必要であることを示すフラグF WNDREQに“１”がセットされる。このフラグF WNDREQの状態に従った処理を行わせるために、レリーズ処理実行後、ステップＳ９へ進む。ステップＳ９では、前述した通り、フラグF WNDREQが“１”である場合はステップＳ１０へ進み、１駒巻き上げ動作が実行される。
【００６６】
ステップＳ３３に進んだ場合、ズーム駆動要求の有無がチェックされる。すなわち、ZUSW９，ZDSW１０のいずれかがオフ状態からオン状態に変化したかどうかを判断する。ZUSW９，ZDSW１０のいづれかがオフ状態からオン状態に変化した場合、すなわち、ズーム要求ありの場合は、ズーミング駆動回路２３を制御し、ズーミング制御動作を行うステップＳ３４のズーム駆動処理を実行する。ズーム要求なしの場合、そのまま、ステップＳ２０に戻り、また、ステップＳ３４のズーム駆動処理後もステップＳ２０に戻り、メインループを形成する。
【００６７】
ここで、前述したステップＳ４０で呼び出されるサブルーチンのレリーズ処理の詳細を図５のフローチャートを用いて説明する。 
本レリーズ処理処理もＣＰＵ１の制御のもとで実行され、まず、ステップＳ４１の測距処理において、ＡＦセンサ１６を制御し、前述したように被写体までの距離を測定する。測定された結果は距離の逆数に比例したデータとして出力され、ＣＰＵ１内のRAMであるLDATAに記憶される。ステップＳ４２の測光処理では、測光回路２０を制御し、撮影シーン中央部の輝度と周辺部の輝度(以下、周辺輝度と呼ぶ)が測定される。ステップＳ４３では、ズームの位置と上記距離の逆数より、合焦させるために必要なフォーカシングレンズの繰り出し量の演算を行うレンズ繰り出し量演算が実行される。ステップＳ４４では、サブルーチンの露光量演算処理が呼び出される。この露光量演算処理は、ステップＳ４２で測定された被写体輝度に基づいて、シャッタ制御時間、及び、ストロボ発光量の演算が行われるが、その詳細は、後で図６のフローチャートを用いて説明する。
【００６８】
続いて、ステップＳ４５では、1RSW７，2RSW８の状態を検出するスイッチ状態の読み込みが行われる。ここで読み込まれた1RSW７，2RSW８の状態は続くステップＳ４６、ステップＳ４７で判断される。まず、ステップ４６では1RSW７がオフされたかどうかを判断する。1RSW７がオフされている場合は、2RSW８がオンされずにオフされたことになるので、本レリーズ処理によるレリーズ動作を終了する。1RSW７がオフされていない場合は、1RSW７のオン状態が継続されている場合であり、ステップＳ４７へ進み、2RSW８の状態を判断する。
【００６９】
ステップＳ４７に判断にて、2RSW８がオン状態ではない場合は、再びステップＳ４５ヘ戻り、スイッチ状態の読み込み処理を行う。ステップＳ４７の判断にて、2RSW８がオン状態である場合は、露出動作を開始する必要があるので次のステップＳ４８へ進む。上述したステップＳ４５からステップＳ４７まで1RSW７がオフ状態になるか、あるいは、2RSW８がオン状態になるまでの処理をループすることになる。
【００７０】
ステップＳ４８では、ステップＳ４３で演算されたフォーカシングレンズの駆動量（繰り出し量）に従い、フォーカシングレンズの駆動制御が実行され、撮影レンズを合焦状態にする。続いてステップＳ４９でステップＳ４４で演算された露出量に基づいたシャッタ制御時間とフラッシュ発光量とに従い露出動作が実行される。ステップＳ５０では、露出動作が終了しているので、フォーカシングレンズを初期位置に戻すレンズ位置リセット制御が行われる。ステップＳ５１では、露出終了している撮影駒を巻き上げるため、巻き上げ制御が必要であることを示すフラグF WNDREQに“１”をセットして、本レリーズ処理を終了し、メインルーチンに戻る。
【００７１】
ここで、前述したステップＳ４４で呼び出されるサブルーチンの露出量演算の詳細を図６のフローチャートを用いて説明する。 
なお、以下に説明に使用するAPEXに関する値（ＳＶ値，ＡＶ値，ＴＶ値，ＤＶ値，ＧＶ値，ＥＶ値）は、それぞれフィルムのＩＳＯ感度，絞りＦno，シャッタ秒時ＳＳ，被写体距離Ｌ，フラッシュガイドナンバーのＧnoにより、それぞれ次のごとく定義される。すなわち、
ＳＶ＝ log2(ＩＳＯ感度×0.32）    …（１）
ＡＶ＝ log2(Ｆno2)                …（２）
ＴＶ＝ log2(l／SS)               …（３）
ＤＶ＝ log2(L2)                   …（４）
ＧＶ＝ log2(Ｇno2)                …（５）
ＥＶ＝ＡＶ＋ＴＶ＝ＢＶ＋ＳＶ     …（６）
とする。
【００７２】
この露出量演算処理もＣＰＵ１の制御のもとで実行され、まず、ステップＳ５３でフィルムパトローネのＤＸコードより、フィルムのＳＶ値を算出する。ステップＳ５４にてステップＳ４１での測距結果（距離の逆数に比例したデータ）を用いてＤＶ値を算出する。ステップＳ５５では、ステップＳ４２での測光結果である被写体輝度と周辺輝度より、それぞれのＢＶ値を算出する。ステップＳ５６では、現在のズーム位置から、シャッタ開放時のＡＶ値を求める。ステップＳ５７にて前述したＢＶ値とＳＶ値より、ＥＶ値を求める。
【００７３】
ステップＳ５８にてＥＶ値の大小、もしくは、美肌撮影モードや強制発光モードなどのモードにより、フラッシュ発光の要否を判断する，なお、美肌撮影モードとは、本発明の機能をカメラ５０に搭載した場合の名称であり、後に図７で詳細は説明する。
【００７４】
ステップＳ５９にて上記ＥＶ値とＡＶ値によりＴＶ値を算出する。
【００７５】
ステップＳ６０にてフラッシュ発光時のＡＶ値としてのＡＶＦが算出される。このＡＶＦ値は、次の式、
ＡＶＦ＝ＧＶ−ＤＶ−ＩＳＯ１００のＳＶ＋ＳＶ  …（７）
によって求められる。
【００７６】
ステップＳ６１にてサブルーチンのＡＶＦの補正処理が呼び出される。このＡＶＦの補正処理では、選択モードが美肌撮影モードである場合にステップＳ６０で求めたＡＶＦの補正が行われる(詳細は後述)。
【００７７】
ステップＳ６２にてステップＳ５９で求めたＴＶ値よりシャッタの制御秒時を計算して、本露出量演算処理を終了する。
【００７８】
前述したステップＳ６１で呼び出される美肌撮影モードにおけるＡＶＦ補正処理の詳細を図７のフローチャートを用いて説明する。 
一般的に日本人の女性は、フラッシュ発光時、適度に露出がオーバーになる写真を好む傾向があることが調査から判明している。その理由は、上記露出オーバーによって顔のしみや皺が日立たなくなると共に、肌が白く見える効果があるからである。上記美肌撮影モードは、その効果を利用した強制発光撮影モードである。
【００７９】
本実施形態における美肌撮影モードでは、フラッシュ発光時に適度に露出をオーバにするために、フラッシュの発光量を増やすのではなく、絞り値を小さくすることで、被写体で反射されてフィルムに入射するフラッシュ光量を増やし、適度に露出がオーバーになるようにした。従って、フラッシュ光量を制御する機能をもたない安価なカメラでもこの美肌撮影モードを組み込むことが可能となる。
【００８０】
しかし、被写体で反射され、フィルムに入射するフラッシュ光量を適度にオーバにするには、単に一定量、絞り値を小さくするだけでは実現できないことが、実験検討により判明した。その理由は、画面内の被写体の大きさと輝度により、ラボ機の補正量(デジタルカメラの場合は、ホワイトバランス)が異なるからで、―つのシーンで適度に露出をオーバーにしていても、他のシーンだと、被写体が白トビしてしまって、何が写っているのか判別すらできなくなることもある。
【００８１】
上記問題を解決するために本実施形態においては、以下に説明するＡＶＦ補正処理によりＡＶＦを補正することによってどのようなシーンであっても適度にオーバーになるようにフラッシュ発光時のＡＶ値（ＡＶＦ）を制御し、被写体で反射されてフィルムに入射するフラッシュ光量が制御される。
【００８２】
そこで、本ＡＶＦ補正処理では、フラッシュ発光時のＡＶ値であるＡＶＦの補正制御が開始されると図７に示すようにステップＳ６５で美肌撮影モードかどうか判断する。美肌撮影モードの場合は、ステップＳ６６に進み、そうでなければそのまま本サブルーチンを終了する。
【００８３】
ステップＳ６６ではＡＦセンサ１６で求めた被写体距離Ｌと、上記ズーミンク駆動信号検出回路２５によりカウントした焦点距離を用いて、次式、
撮影倍率＝焦点距離／被写体距離  …（８）
により撮影倍率を求める。
【００８４】
ステップＳ６７では、ステップＳ６６で求めた撮影倍率により、次に示す表１のテーブルからＡＶＦの補正量を選択して撮影倍率に対する補正量を求める。
【表１】
2005173386.tif 000003
【００８５】
表１は、EEPROM２に記憶されており、撮影倍率とＡＶＦ補正量との関係を様々な実験検討により設定して求められた撮影倍率依存性を示すテーブルである。表２に示すように撮影倍率が大きければ大きいほど、補正量を小さくした方がよいことが上記検討により判明している。ここで、補正量を算出するためにテーブルからの参照方式を採用しているのは、撮影倍率と補正量の関係が直線にならないからである。直線近似をするとすれば複数の直線で補正を行なう必要がある。
【００８６】
続いて、ステップＳ６８では、被写体の周辺輝度ＢＶに基づき、次の一次関数の式、
輝度によるＡＶＦ補正量＝−0.1503×周辺輝度ＢＶ＋1.4196  …（９）
によって輝度による補正量を算出する。（９）式もEEPROM２に記憶されている。
【００８７】
なお、（９）式の関係式での勾配と、補正量０を与える周辺輝度ＢＶとは、実験検討の結果により設定したものである。また、図８は、（９）式の関係を横軸に周辺輝度ＢＶ値を、縦軸に輝度によるＡＶＦ補正量をとって示した線図である。
【００８８】
ステップＳ６９では、ステップＳ６７で求めた撮影倍率によるＡＶＦ補正量とステップＳ６８で求めた周辺輝度によるＡＶＦ補正量とを加算し、フラッシュ発光時のＡＶ値（絞り値）に対するトータルのＡＶＦ補正量を求める。ここで、加算の結果が、もし、負の数になった場合は、補正量０にする。
【００８９】
次に示す表２は、上述した周辺輝度のＢＶ値および撮影倍率に対して実際に求められるトータルの補正量の値を示す表である。
【表２】
2005173386.tif 000004
【００９０】
なお、表２において、行方向が周辺輝度のＢＶ値、列方向が撮影倍率を示しており、表中に記載された数値はトータルの各ＡＶＦ補正量を示している。
【００９１】
ステップＳ７０では、ステップＳ６９で求めたトータルのＡＶＦ補正量により美肌撮影モードにおけるＡＶＦ値を補正する。すなわち、
補正ＡＶＦ＝補正前ＡＶＦ＋ＡＶＦ補正量  …（１０）
によって美肌撮影モード時のＡＶＦ値を補正する。なお、美肌撮影モード時の補正ＡＶＦ値が、開放ＡＶ値よりも小さくなった場合は、開放ＡＶ値にする。
【００９２】
上記補正されたＡＶＦ値を求めた後、本ＡＶＦの補正処理を終了し、図６の露出量演算処理に戻る。
【００９３】
上述した本第一の実施形態のカメラ５０によれば、美肌撮影モードが選択された状態においては、測定された撮影倍率と周辺輝度に基づいて（８），（９），（１０）式を適用してＡＶＦ値を補正することで、いかなるシーンにおいても適度にオーバになるようにフラッシュ発光時の露光量（露出量）を制御することでき、白トビ等を生じることなく女性の肌を美しく撮影することが可能となる。また、上記フラッシュ発光時の露光量を絞りによって制御することから上記フラッシュ光量を制御する機能をもたない安価なカメラにも本実施形態による美肌撮影モードを組み込むことが可能である。
【００９４】
次に、本発明の第二の実施形態のカメラについて、図９を用い、さらに、前記図２〜６を参照して説明する。
【００９５】
前述した第一の実施形態のカメラ５０は、撮影倍率と周辺輝度に応じてＡＶＦ値の補正を行なった例であった。しかし、撮影倍率が一定であるズーム機構のない単焦点の撮影レンズを持つカメラの場合は、被写体距離と周辺輝度でＡＶＦ値の補正をしても、第一の実施形態のカメラの場合と同様の効果が得られる。本実施形態のカメラは、上述のようにズーム機構のない単焦点の撮影レンズを持つカメラで美肌撮影モードでの撮影を可能とするものである。
【００９６】
本実施形態のカメラの電気的構成は、図２のブロック構成図に対してズーミング駆動回路２３とズームモータ２４とズーミング駆動信号検出回路２５を削除し、他の構成は、第一の実施形態のカメラと同様の構成を有している。なお、同一の構成要素については、図２と同一符号を用いて、以下、説明する。
【００９７】
本実施形態のカメラにおける撮影シーケンス処理のメインルーチンに関しては、図３，４からステップＳ３３とＳ３４を除いたルーチンとする。また、サブルーチンのレリーズ処理と露出量演算処理とは、図５，６に示したルーチンと同じとするが、該露出量演算処理で呼び出されるサブルーチンのＡＶＦ値の補正処理は、図９のフローチャートに示すＡＶＦ値の補正処理が適用される。
【００９８】
すなわち、露出量演算処理のステップＳ６１で図９に示すサブルーチンのＡＶＦ値の補正処理が呼び出されると、ＣＰＵ１の制御のもとで露出量演算該処理が開始される。まず、ステップＳ７２で選択モードが美肌撮影モードかどうかを判断する。美肌撮影モードの場合は、ステップＳ７３に進み、美肌撮影モードでなければ、本サブルーチンを終了する。
【００９９】
ステップＳ７３では、ＡＦセンサ１６によって求められた被写体距離Ｌにより、次の表３に示すテーブルからＡＶＦ補正量を選択することで、被写体距離Ｌによる補正量を求める。
【表３】
2005173386.tif 000005
【０１００】
表３は、被写体距離とＡＶＦ補正量との関係を示し、様々な実験検討により設定したデータに基づいて求められたテーブルであり、EEPROM２に記憶されている。
【０１０１】
ステップＳ７４では、撮影シーンの周辺輝度により、輝度による補正量を算出する。この輝度による補正量の演算式は、第一の実施形態の場合と同様に（９）式が適用される。
【０１０２】
ステップＳ７５では、ステップＳ７３で求めた被写体距離によるＡＶＦ補正量とステップＳ７４で求めた周辺輝度によるＡＶＦ補正量とを加算し、トータルの補正量を求める。ここでも上記加算の結果が負の数になった場合は、補正量は０にする。
【０１０３】
ステップＳ７６では、ＡＶＦ値をステップＳ７５で求めたトータルの補正量で補正する。そして、本サブルーチンのＡＶＦの補正処理を終了する。
【０１０４】
本実施形態のカメラによれば、第一の実施形態のカメラ５０の場合と同様の効果を奏するが、特に被写体距離が変化した場合に対しても美肌撮影モードによる良好な撮影が可能となる。また、単焦点のカメラであり、フラッシュ発光量制御を行わないようなタイプのカメラであっても上記美肌撮影モードによる撮影が可能となる。
【０１０５】
次に、本発明の第三の実施形態のカメラについて、前記図２〜６，９等を参照して説明する。
【０１０６】
ＡＦ（オートフォーカス）機能を持たないカメラに対しては、第一実施形態のカメラ５０におけるズーミング駆動信号検出回路２５の出力信号により得られる焦点距離情報に基づいてフラッシュ発光時のＡＶＦ値の補正をしても、美肌撮影時にて第一の実施形態のカメラの場合と同様の効果が得られる。本実施形態のカメラは、上述のようにＡＦ機能を持たないズームカメラに適用される。
【０１０７】
本実施形態のカメラの電気的構成は、図２のブロック構成図に対してＡＦセンサ１６を削除し、他の構成は、第一の実施形態のカメラと同様の構成を有している。なお、同一の構成要素については、図２と同一符号を用いて、以下、説明する。
【０１０８】
本実施形態のカメラにおける撮影シーケンス処理のメインルーチンに関しては、図３，４と同様のルーチンとする。サブルーチンのレリーズ処理については、図５のルーチンのステップＳ４１の測距処理をなくしたものとする。サブルーチンの露出量演算処理は、図６のルーチンのステップＳ６４のＤＶ値演算処理をなくしたものとする。さらに、サブルーチンのＡＶＦの補正処理については、図９のルーチンのステップＳ７３の被写体距離ＬによりＡＶＦ補正量を選択する処理に替えて、焦点距離情報からＡＶＦ補正量を選択する処理に変更する必要がある。
【０１０９】
すなわち、図９に示すサブルーチンのＡＶＦの補正処理のステップＳ７３にて次の表４に示すテーブルからＡＶＦ補正量を選択することで、焦点距離による補正量を求める。
【表４】
2005173386.tif 000006
【０１１０】
表４は、焦点距離情報（ワイド，標準，テレ）とＡＶＦ補正量との関係を示しており、様々な実験検討により設定したデータに基づいて求められたテーブルであり、EEPROM２に記憶されている。
【０１１１】
本実施形態のカメラによれば、第一の実施形態のカメラ５０の場合と同様の効果を奏するが、特に焦点距離の変化に対応した美肌撮影モードでの良好な撮影が可能となる。また、ＡＦ機能がなく、また、フラッシュ発光量制御を行わないタイプのカメラであっても上記美肌撮影モードによる撮影を行うことができる。
【０１１２】
次に、本発明の第四の実施形態のカメラについて、図１０を用い、さらに、前記図２〜６を参照して説明する。
【０１１３】
前述した第一の実施形態のカメラ５０は、撮影倍率と周辺輝度に応じてフラッシュ発光時のＡＶＦ値の補正を行なった例であった。本実施形態のカメラは、撮影倍率と撮影シーンの中央部と周辺部の輝度差で上記ＡＶＦ値の補正を行うようにしたものであって、美肌撮影時に第一の実施形態のカメラの場合と同様の効果が得られるものである。
【０１１４】
本実施形態のカメラの電気的構成は、図２のブロック構成図に示した第一の実施形態のカメラ５０と同様とし、該カメラの構成要素についても図２と同一符号を用いて、以下、説明する。
【０１１５】
本実施形態のカメラにおける撮影シーケンス処理のメインルーチンは、図３，４と同一のフローチャートによる。また、、サブルーチンのレリーズ処理と露出量演算処理とは、図５，６に示したルーチンと同じとするが、該露出量演算処理で呼び出されるサブルーチンのＡＶＦ値の補正処理は、図１０のフローチャートに示すＡＶＦ値の補正処理が適用される。
【０１１６】
上記露出量演算処理のステップＳ６１でサブルーチンのＡＶＦ値の補正処理が呼び出されると、ＣＰＵ１の制御のもとで図１０に示すようにステップＳ７８で選択モードが美肌撮影モードかどうかを判断する。美肌撮影モードの場合は、ステップＳ７９に進み、美肌撮影モードでなければ、本サブルーチンを終了する。
【０１１７】
ステップＳ７９では、ＡＦセンサ１６によって求められた撮影倍率により、表１と同様のテーブルからＡＶＦ補正量を選択することで、撮影倍率による補正量を求める。
【０１１８】
ステップＳ８０にて撮影シーンの中央部の輝度と周辺輝度との輝度差により、予め定められた算出式を用いて上記輝度差によるＡＶＦ補正量を算出する。
【０１１９】
ステップＳ８１にてステップＳ７９で求めた撮影倍率によるＡＶＦ補正量とステップＳ８０で求めた輝度差によるＡＶＦ補正量とを加算し、トータルの補正量を求める。ここでも上記加算の結果が負の数になった場合は、補正量は０にする。
【０１２０】
ステップＳ８２では、ＡＶＦ値をステップＳ８１で求めたトータルの補正量で補正する。そして、本サブルーチンのＡＶＦの補正処理を終了する。
【０１２１】
本実施形態のカメラによれば、第一の実施形態のカメラ５０における美肌撮影モードでの効果と同様の効果が得られる。
【０１２２】
上述した各実施形態のカメラにおけるＡＶＦ値の補正方式以外であって、ＡＶＦ値を撮影倍率だけで補正したり、周辺輝度のみで補正したとしても、上記実施形態の場合よりも効果は低いが同じような効果を得ることができる。また、これらの実施形態のほかにも、本発明の要旨を逸脱しない範囲で種々の変形の実施形態が可能である。
【０１２３】
また、本発明の要旨は、銀塩フィルムにより撮影を行うカメラだけでなく、撮像素子により被写体を撮像するデジタルカメラにも適用可能である。
【産業上の利用可能性】
【０１２４】
本発明によるカメラは、フラッシュ発光撮影を行う特定の撮影モードで絞り値を制御する美肌撮影モードによる撮影が可能なカメラとして利用できる。
【図面の簡単な説明】
【０１２５】
【図１】本発明の技術によるカメラのシャッタの開口面積とフラッシュ（投光手段）の発光タイミングを示している図である。
【図２】本発明の第一の実施形態のカメラの電気制御回路のブロック構成図である。
【図３】図２のカメラにおける撮影シーケンスのメインルーチンであるPWRST処理のフローチャートの一部である。
【図４】図２のカメラにおける撮影シーケンスのメインルーチンであるPWRST処理のフローチャートの他の一部である。
【図５】図２のカメラにおける図４のメインルーチンで呼び出されるサブルーチンのレリーズ処理のフローチャートである。
【図６】図２のカメラにおける図５のレリーズ処理で呼び出されるサブルーチンの露出量演算処理のフローチャートである。
【図７】図２のカメラにおける図６の露出量演算処理で呼び出されるサブルーチンのＡＶＦ補正処理のフローチャートである。
【図８】図２のカメラにおける撮影時の所定の周辺輝度とＡＶＦ補正量量との関係を示す線図である。
【図９】本発明の第二の実施形態のカメラの撮影シーケンスにおけるサブルーチンであるＡＶＦ値の補正処理のフローチャートである。
【図１０】本発明の第四の実施形態のカメラの撮影シーケンスにおけるサブルーチンであるＡＶＦ値の補正処理のフローチャートである。
【図１１】従来の閃光装置を内蔵したカメラによる閃光発光撮影の状態を示す図である。
【符号の説明】
【０１２６】
１  …ＣＰＵ
（絞り制御手段，補正値算出手段，
倍率算出手段）
１３  …フラッシュ回路（投光手段）
１６  …ＡＦセンサ（測距手段）
２０  …測光回路（測光手段）
代理人      弁理士    伊  藤    進
【図１】
2005173386.tif 000007
【図２】
2005173386.tif 000008
【図３】
2005173386.tif 000009
【図４】
2005173386.tif 000010
【図５】
2005173386.tif 000011
【図６】
2005173386.tif 000012
【図７】
2005173386.tif 000013
【図８】
2005173386.tif 000014
【図９】
2005173386.tif 000015
【図１０】
2005173386.tif 000016
【図１１】
2005173386.tif 000017